(57)【要約】【課題】組立性の良い電動機を得る。【解決手段】複数のスロットを形成する複数のティースを二分割した絶縁性を持つインシュレータＡ，Ｂの端面同士の嵌合わせによりティース部３に収納した内輪磁極部に回転子を収め、この回転子を包むようにスロットにコイルを巻装し、外輪部を構成する外輪ヨーク部に嵌合させて構成した電動機について、そのインシュレータＡの嵌合わせ端に、嵌合わせ時に先に当って他の嵌合わせをガイドするガイド構造を設ける。ガイド構造は、一部のティース部７の端を他のティース部３の端より長くする。或いは、長いティース部７の端の嵌合い寸法を大きくする。さらには、ティース部３の端の一部を他の部分より長くする。【選択図】          図２
2005012875.tif 000002
【特許請求の範囲】
【請求項１】
複数のスロットを形成する複数のティースをもつステーターコアを、端面同士の嵌合わせ構造をもつインシュレータで挟み込むことで巻線と前記ステータコアの絶縁を行うようにした電動機であって、そのインシュレータの嵌合わせ端の一方に、嵌合わせ時に先に当って他の嵌合わせをガイドするガイド構造を設けた電動機。
【請求項２】
請求項１に記載の電動機であって、ガイド構造が一部のティース部の端を他のティース部の端より長くした構成である電動機。
【請求項３】
請求項２に記載の電動機であって、コイルが巻回されないティース部の端を長くし、コイルの巻回されるティース部の端を短くした電動機。
【請求項４】
請求項２又は請求項３に記載の電動機であって、端を長くしたティース部の端の嵌合い寸法を大きくした電動機。
【請求項５】
請求項１に記載の電動機であって、ガイド構造がティース部の端の一部を他の部分より長くした構成である電動機。
【請求項６】
請求項５に記載の電動機であって、ティース部の長さを周方向に序列的にした電動機。
【請求項７】
請求項１〜請求項６までのいずれかに記載の電動機であって、ガイド構造としてのティース部の長い部分を突出部として構成した電動機。
【請求項８】
請求項６に記載の電動機であって、ティース部の長い部分と短い部分とを曲線で繋いだ電動機。
【請求項９】
請求項１〜請求項８のいずれかに記載の電動機であって、インシュレータをＬＣＰ材料で成形した電動機。
【発明の詳細な説明】
【０００１】
【発明の属する技術分野】
本発明は、回転子巻込み式で絶縁のために二分割式のインシュレータを用いた内回転型の電動機に関するものである。
【０００２】
【従来の技術】
固定子コアを被覆するように相互に突き合わされるインシュレータによって、固定子コアと固定子コアに施される巻線との絶縁を行っている電動機がある（例えば、特許文献１参照）。
【０００３】
【特許文献１】
実開平３―７００４３号公報（第５−６頁、第６図）
【０００４】
【発明が解決しようとする課題】
上記した従来の電動機では、インシュレータの突き合わせ部の一方側に他方側に延びて他方側の突き合わせ部と重合する段部が形成され、突き合わせ部の絶縁性が保持されているが、インシュレータを突き合わせる際に、複数のティース部端を同時に整合させ、全ての段部を重合させることは大変難しく、組立てに手間がかかるうえ、中途半端な整合状態で突き合わせ部を突き合わせ重合させるとインシュレータの破損を招く。重合させる寸法を大きくとり、組付性を改善しようとしても、コイル周長が長くなり、巻線断面が減少するなどにより電動機の特性が低下するといった問題があった。
【０００５】
本発明は、係る従来の問題点を解決するためになされたものであって、その課題とするところは、組立性の良い電動機を得ることであり、電動機特性の低下を来さないインシュレータで絶縁を図った電動機を得ることである。
【０００６】
【課題を解決するための手段】
前記課題を達成するために本発明は、複数のスロットを形成する複数のティースを二分割した絶縁性を持つインシュレータの端面同士の嵌合わせによりティース部に収納した内輪磁極部に回転子を収め、この回転子を包むようにスロットにコイルを巻装し、外輪部を構成する外輪ヨーク部に嵌合させて構成した電動機について、そのインシュレータの嵌合わせ端の一方に、嵌合わせ時に先に当って他の嵌合わせをガイドするガイド構造を設ける手段を採用する。これにより、インシュレータの嵌合わせに際し、複数のティース部端全部を同時に整合させることなく、ガイド構造を設けた限定数のティース部を整合させることにより、他のティース部の整合を倣わせることができる。
【０００７】
【発明の実施の形態】
図１と図２は本実施の形態の電動機の片方のインシュレータＡの斜視図、図３はもう一方のインシュレータＢの斜視図である。この電動機は、回転子巻込み式の内回転型の電動機であり、図４に示すように複数のスロット１を形成する複数のティース２を二分割した絶縁性を持つインシュレータＡ，Ｂの端面同士の嵌合わせによりティース部３に収納した内輪磁極部４に回転子５が収められ、この回転子５を包むようにスロット１にコイル６が巻装され、図示しない外輪部を構成する外輪ヨーク部に圧入により嵌合されて構成されている。
【０００８】
インシュレータＡ，Ｂは、絶縁性のある液晶ポリマ（例えば、パラヒドロキシ安息香酸と、２，６―ヒドロキシナフトエ酸から構成される全芳香属ＩＩ型液晶ポリエステル）などのＬＣＰを材料として成形されている。このＬＣＰは成形性が良く、薄肉化が可能であり、巻線断面も大きくとれ、コイル周長も短くとれるため特性の向上を図ることができる。
【０００９】
インシュレータＡは、周方向にスプライン歯状に並ぶティース部３にティース２が収め込まれたインシュレータＢへ端面を嵌合わして組付けられる。インシュレータＡのティース部３の嵌合わせ端には嵌合わせをガイドするガイド構造が設けられている。ガイド構造は、嵌合わせ時にまず先に当って他の嵌合わせを案内する構造であり、具体的には次のような各種の構造が採用される。
【００１０】
【実施例】
実施例１．
ガイド構造として図１及び図２に示すようにインシュレータＡのティース部３の端を他のティース部３の端より長くする。これにより、全部のティース部３端を全て整合させて嵌合わせなくても、先ず限定数の長いティース部７を嵌合わせれば、短いティース部３は長いティース部７の嵌合いに倣って嵌合わされるため、インシュレータＡとインシュレータＢとの組付けが手間どらず容易に行える。
また、コイル６が巻回されないティース部７を長くし、コイル６の巻回されるティース部３を短くすることにより、コイル６の周長が長くならず、巻線において邪魔にもならず巻線性も向上する。即ち、長いティース部７は、型からの抜き勾配などで幅寸法が大きくなってしまう。幅寸法の長いティース部７にコイル６を巻装すれば、コイル周長は長くなり特性が悪化する。さらには、長いティース部７の端の嵌合い寸法を大きくすることにより、先に嵌合わせる長いティース部７の嵌合わせがより平易になり、組立性が向上する。
【００１１】
実施例２．
図６はガイド構造としてインシュレータＡのティース部３の中心側を外周側より斜面により長く構成している。これにより、ティース部３の中心側の長い部分８から先ず嵌合を行い、その嵌合いに倣うかたちで短い部分９の嵌合いを行うことができ、組立性が向上する。長い部分８は外周側でも良く、長い部分８についての嵌合い寸法を大きくすることにより、先に嵌合わせるティース部３の嵌合わせがより平易になり、組立性が一層向上する。図５はインシュレータＡのガイド構造として、ティース部の長く構成された部分をさらに突出させた構造になっている。このような突出部を設けることでインシュレータＡとインシュレータＢの組付けがより容易になり、組立性が一層向上する。また、図７や図８に示すように長い部分８と短い部分９を曲線１０で繋いだ形態を採ることで円滑なガイド機能が働き、組立が容易になる。
【００１２】
実施例３．
ガイド構造として図９や図１０に示すようにインシュレータＡのティース部３の一部の長さを周方向に序列的に構成する。この序列については全てのティース部３の一部の長さが異なる必要はない。周方向に序列的にティース部３の一部の長さを変えることにより、インシュレータＡを最も長いティース部７から短くなっていく方向に回しながら嵌合わせることができ、組立性が向上する。
【００１３】
なお、上記実施例では回転子をインシュレータＡ，Ｂに納めた後、回転子を包むようにスロット１にコイル６を巻装する構造となっているが、回転子を巻装後に入れる構成を採っても良い。また、ティース部３を外輪ヨーク部に嵌合させて構成しているが、ティース部３とヨーク部が一体となったコアでも良い。
【００１４】
【発明の効果】
本発明によれば、組立性の良いインシュレータで絶縁を図った電動機が得られる。
【図面の簡単な説明】
【図１】実施の形態及び実施例１の電動機のインシュレータＡを示す斜視図である。
【図２】実施の形態及び実施例１の電動機のインシュレータＡを別の角度で示す斜視図である。
【図３】実施の形態の電動機のインシュレータＢを示す斜視図である。
【図４】実施の形態の電動機のインシュレータにコイルを巻装した形態を示す端面図である。
【図５】実施例２のインシュレータＡを示す断面図である。
【図６】実施例２の他のインシュレータＡを示す断面図である。
【図７】実施例２の他のインシュレータＡを示す斜視図である。
【図８】図７のインシュレータＡの正面図である。
【図９】実施例３のインシュレータＡを示す斜視図である。
【図１０】図９のインシュレータＡの正面図である。
【符号の説明】
１  スロット、  ２  ティース、  ３  ティース部、  ４  内輪磁極部、  ５回転子、  ６  コイル、  ７  長いティース部、  ８  長い部分、  ９  短い部分、  １０  曲線、  Ａ  インシュレータ、  Ｂ  インシュレータ。
【図１】
2005012875.tif 000003
【図２】
2005012875.tif 000004
【図３】
2005012875.tif 000005
【図４】
2005012875.tif 000006
【図５】
2005012875.tif 000007
【図６】
2005012875.tif 000008
【図７】
2005012875.tif 000009
【図８】
2005012875.tif 000010
【図９】
2005012875.tif 000011
【図１０】
2005012875.tif 000012